(57)【要約】  【課題】  管路の内壁に付着した水あか等の固形物を効果的に除去できる装置を提供する。  【解決手段】  排水管１内に、該排水管路１に嵌脱自在に栓体３を嵌着して滞留室４を設る。該滞留室４の滞留水中に、駆動装置１０によって回動するコイル状ワイヤー６の先端に設け、しかも、前記排水管１の内壁に摺接する洗浄ヘッド７を装置し、該洗浄ヘッド７の後方には、前記コイル状ワイヤー６に嵌挿された、圧送空気の案内管の周側に設けたエアー注入口８を装置する。【選択図】    図１
2009160543.tif 000002
【特許請求の範囲】
【請求項１】
排水管などの管路内に、該管路に嵌脱自在に栓体を嵌着して滞留室を設け、該滞留室の滞留水中に、駆動装置によって回動するコイル状ワイヤーの先端に設け、しかも、前記排水管の内壁に摺接する洗浄ヘッドを装置し、該洗浄ヘッドの後方には、前記コイル状ワイヤーに嵌挿された、圧送空気の案内管の周側に設けたエアー注入口を装置した、排水管の洗浄装置。
【請求項２】
エアー注入口を螺旋長孔で構成した請求項１記載の排水管の洗浄装置。
【発明の詳細な説明】
【技術分野】
【０００１】
本発明は、建物内の配水管や排水管などの管路の内壁に付着した水あかその他の固形物を除去、洗浄するために用いる排水管などの管路洗浄装置に関するものである。
【背景技術】
【０００２】
先端に弾性的な可撓性を有する複数枚のブレードを取付けた弦巻バネ部材を管路内に嵌挿し、該弦巻バネ部材を回動させつつ前進させて、前記ブレードを管路内壁に摺接して管路内壁に付着した固形物を除去するようにした構造のものがある（例えば、特許文献１）。
【０００３】
【特許文献１】特開平６−２３８２４９号公報
【発明の開示】
【発明が解決しようとする課題】
【０００４】
前記従来のものは、管路内壁に付着した固形物をブレードでいわばこすり取るだけであるので必ずしも満足のいくものではない。
【０００５】
本発明は、管路の内壁に付着した固形物を尚一層効果的に除去できる装置を提供すべく創案したものである。
【課題を解決するための手段】
【０００６】
排水管などの管路内に、該管路に嵌脱自在に栓体を嵌着して滞留室を設け、該滞留室の滞留水中に、駆動装置によって回動するコイル状ワイヤーの先端に設け、しかも、前記排水管の内壁に摺接する洗浄ヘッドを装置し、該洗浄ヘッドの後方には、前記コイル状ワイヤーに嵌挿された、圧送空気の案内管の周側に設けたエアー注入口を装置した構成としたものである。
【発明の効果】
【０００７】
本発明によれば、いわば水中内でコイル状ワイヤーによって容易に回転力の与えられた洗浄ヘッドによる固形物の除去操作を行うものであるので、該除去操作を効率的に行え、しかも、前記水中内にエアーを送り込んでの操作を行えるので、滞留水に乱流が生じて内壁隅々に接して固形物の除去操作を行うことができる。
【０００８】
そして、除去操作は、栓体を用いることによって形成した滞留室内で行うから、除去した固形物は、栓体を除くことによって開放した滞留室から容器その他適宜のものに集めることができ、従って、所謂たれ流しを防ぐことができる。
【実施例】
【０００９】
図面は、本発明に係る排水管などの管路の洗浄装置の一実施例を示し、図１は略示断面図、図２は洗浄用具の先端部の正面図、図３は洗浄用具のノズル材の正面図、図４は図３の側面図、図５は図３ａ−ａ線断面図である。
【００１０】
図中、１は管路を構成する排水管で、排水管１は上流側を図示省略した流し台に連通させ、下流側を沈殿槽２に連通させ、沈殿槽２との連通部である末端開口部１ａには栓体３を嵌脱自在に嵌着して、前記流し台側からの流下水の滞留室４を形成させてある。
【００１１】
なお、ここでいう滞留室は、管路（実施例は排水管１）の内壁に付着し、しかも、例えば、洗浄用具Ａを用いて洗浄、除去する固形物を浸漬状態に置く水を一時的に溜めておくために栓体で管路を塞いで形成される部分をいい、管路の敷設状態によって管路全体が滞留室を構成する場合もある。
【００１２】
そして、この滞留室４に洗浄用具Ａの、少なくとも先端部を浸漬して実施例を構成する。
【００１３】
洗浄用具Ａは、適度の長さのあるコイル状ワイヤー６の先端部に洗浄ヘッド７を取付け、該洗浄ヘッド７の接続筒７ａの周側に設けた注入口８に接続筒７ａの後端に接続して連通する可撓性の案内管９を前記コイル状ワイヤー６に嵌挿して構成し、コイル状ワイヤー６の後端はモータを備えた駆動装置１０に連携させて、駆動装置の作動によって回動、駆動し、それに伴って、洗浄ヘッド７は、前記滞留室４を構成する排水管１内を回動して、内壁１ｂに付着した水あか等の固形物を掻き取る。
【００１４】
また、前記案内管９の後端はエアーコンプレッサ１１に連通させ、案内管９はコンプレッサ１１からのエアを案内して前記接続筒７ａの注入口８を通じて滞留室４内の滞留水中に注入、送り込むようにしてある。
【００１５】
なお、駆動装置１０によって回動するコイル状ワイヤー６は、コイル状によって排水管１の内壁１ｂに摺接し、固形物の掻き取り操作を行う一方、コイル状による可撓性によって排水管１で構成される曲路においても自在に前進させることができ、案内管９を樹脂製の可撓管で構成したのは、コイル状ワイヤー６の動きに追従させるためである。
【００１６】
洗浄ヘッド７（構成は実施例に限定する必要はない）は、接続筒７ａと同様に金属製先端部材７ｂとをコイルワイヤー体７ｃで構成した棒状主体７Ａの前記先端部材７ｂと接続筒７ａとの間に一対の鎖体７Ｂ，７Ｂを架設して構成し、コイル状ワイヤー６の回動に伴って回動し、鎖体７Ｂ，７Ｂが円管状の排水管１の内壁１ｂに摺接し、前記固形物を掻き取る。この掻き取り操作に際し、前記コイルワイヤー体７ｃの撓みによって鎖体７Ｂは内壁１ｂに尚一層強く圧接して固形物をより確実に掻き取る。
【００１７】
しかして、滞留室４の滞留水内に洗浄用具の先端部である洗浄ヘッド７ｂを浸漬して、駆動装置１０によって回動させつつ、コンプレッサからのエアを注入すると、対流水は乱流となって滞留室４内を移動して排水管１の内壁１ａに衝接する一方、鎖体７Ｂが当該内壁１ａに摺接し、これらが相乗作用して固形物の掻き取り操作が行われる。
【００１８】
なお、コンプレッサからのエアは上流側の開口を通じて排水管１外部に排出され、従って、エアの滞留室４内への注入は不都合なく行うことができる。
【００１９】
また、滞留室４内を界面活性剤溶液にすると（滞留水に界面活性剤を溶かし込むと）、排水管１内の洗浄が尚一層効果的に行うことができる。
【００２０】
さらに、接続筒７ａの周側に設けた注入口８は、螺旋長孔（螺旋溝を形成した長孔、図５参照）で構成すると、該螺旋長孔を通じて排出（注入）されるエアは尚一層の勢いで接続筒７ａより内壁１ａに近い位置まで滞留水内に注入されるから、掻き取り操作の効率性を尚一層増大させることができる。
【００２１】
本発明の適用は排水管に限らず、所謂配水管にも用いることができる。
【図面の簡単な説明】
【００２２】
【図１】略示断面図。
【図２】洗浄用具の先端部の正面図。
【図３】洗浄用具のノズル材の正面図。
【図４】図３の側面図。
【図５】図３ａ−ａ線断面図。
【符号の説明】
【００２３】
１      排水管
３      栓体
４      滞留室
６      コイル状ワイヤー
７      洗浄ヘッド
８      注入口
１０    駆動装置
【図１】
2009160543.tif 000003
【図２】
2009160543.tif 000004
【図３】
2009160543.tif 000005
【図４】
2009160543.tif 000006
【図５】
2009160543.tif 000007